(57)【要約】【課題】  磁気と宇宙エネルギーがどのように関連しているのかがよく解明されていなかったため、宇宙エネルギーの効率のよい取り出し方は手探り状態で、場合によっては逆効果になる可能性もあった。【解決手段】  ４次元磁界という新しい考え方で、磁気と宇宙エネルギーの関係を明確に解明し、それに基づいて（Ｎ極型）疑似単極磁石を造り、宇宙エネルギーを効率よく取り出せるようにした。又これを超電導化することにより、膨大な量の宇宙エネルギーを取り出すこともできるようになる。【選択図】        図１
2005116845.tif 000002
【特許請求の範囲】
【請求項１】
磁材を中空の半球状とリング状に成形あるいは焼結したものを、外側がＮ極、内側が  Ｓ極となるように着磁して全体がゼロ磁界となるように組み上げた構造の疑似単極磁石
【請求項２】
隣り合ったコイルを密着させて互いに逆向きに電流が流れるようにし、そのコイルの  組を全体がゼロ磁界になるように任意の数、配置した構造の疑似単極磁石
【発明の詳細な説明】
【技術分野】
【０００１】
本発明は、宇宙エネルギーを効率よく取り出せる、疑似単極磁石に関するものである。
【背景技術】
【０００２】
磁石には通常、Ｎ極とＳ極が必ずあり、Ｎ極だけ、Ｓ極だけの単極磁石というものはない。
それは磁界そのものが、渦のある場であるため、磁力線それ自体が必ず閉じた曲線となるためである。
これとは逆に静電界の場合は、渦なしの場であるため、電気力線には始点と終点が必ずあり、これによって単極電荷が存在している。
磁気の場合も、静電界と同じように磁気単極（モノポール）というものが、理論的に予測されているが、未だに発見されてはいない。
これらを踏まえた上で、次のような磁石について考えてみる。
それは図１に示すように、外側がたとえばＳ極で、内側がＮ極になっている磁石である。
それは一見すると、単極磁石のように思われるかも知れないが、実際には、対向している極同士でうち消し合うために、磁束密度はゼロになってしまうのである。
いわゆるゼロ磁界と言うことである。したがってこのような磁石を単極磁石（モノポールマグネット）と呼ぶのは間違いである。
この状態になると、普通の磁界の場合よりも、発生する宇宙エネルギーが多くなることが確かめられている。
この宇宙エネルギーは、研究者によれば、５次元エネルギーであると考えられている。  この５次元というのは、ｘ、ｙ、ｚ、ｕ軸という幾何学的な４次元に時間軸 tを加えたものである。
【特許文献１】特許公開平０６−２６７７３５
【特許文献２】実用新案公開平０７−００３１０５
【０００３】
ところで、この宇宙エネルギーと磁気との関連性については、現象学的には、上記のように、確認されてはいるが、それではどのような仕組みで関連しているのかについては、今一はっきりとしない。
すなわち磁気というのは、時間軸を除外すると３次元の現象である。それがなぜ宇宙エネルギーのような４次元（時間軸を除外）のエネルギーと関連を持つのかということについては、全くと言ってもいいほど明確な説明ができていないのである。
このような有様であるから、背景技術も無いに等しい様な状況なのである。
【発明の開示】
【発明が解決しようとする課題】
【０００４】
解決しようとする問題点は、技術うんぬんというとよりも、その基礎となる理論そのものが、ないに等しいような状態なので、まずそれから考えていかなくてはならない。それがなければ、技術の進歩と言うものもあり得ないからである。
【課題を解決するための手段】
【０００５】
発明者はこの課題に取り組み、考えを巡らせた結果、次のような結論に到達した。
それは磁気というものの背後に潜在的に存在する次元の高い部分と言うものがあり、それが宇宙エネルギーと密接に関わっているのではないかと言うことである。そこで、その次元の高い部分を、４次元磁界と想定して、さきほどの磁石について考えてみる。
４次元といっても、我々の頭では、それを思い描く事は出来ないので、図２に示す様に、４つの３次元座標に分解してみると、先ほどの磁石は図２の(a), (b), (c), (d)の様になる。
３次元の場合には、磁石の内側は閉ざされているので、磁力線は互いにうち消し合うが、４次元の場合は、図２の(a)〜(c)を見ればわかるように、ｕ軸の方向は開いているので、磁力線はカスプ状に弧を描いて４次元空間の中で閉じた曲線を形成する。
これが、図２(d)に示すように、３次元空間から見ると、丁度、単極の様な感じになっている。が、しかし、これは３次元の単極電界とは明らかに異なるものである。
したがって、これを疑似単極磁石と命名したのである。
疑似単極といえども単極であるから、磁石の外側が、Ｎ極の場合は、涌きだしになり、逆にＳ極の場合には、吸い込みということになる。
そこで今から、前者をＮ極型の疑似単極磁石、後者をＳ極型の疑似単極磁石と呼ぶことにする。
そして、この４次元磁界の磁力線に沿って、宇宙エネルギーが流入するというように考えれば、磁気と宇宙エネルギーの関連性を明確に説明することができることになる。
次にこの疑似単極磁石の作り方であるが、図１の球形の場合、磁材を図３(a)のように半球状に成形（焼結）する。そして外側が、Ｎ極、内側がＳ極となるように専用の着磁治具を使って磁化させる。そうして磁化させた半球同士を治具を使って２つ合わせて接着するか、押さえつけて完成させる。
又は、磁材を図３(b)に示すようにリング状に成形し（焼結）、外側がＮ極、内側がＳ極となるように専用の着磁治具を使って磁化し、それを棒状あるいは、ドー ナツ状に組み上げて、接着するか、押さえつけて完成させる。
いずれの形状にしても、外側がＮ極、内側がＳ極になるように着磁して、全体がゼロ磁界になるように組み上げ、ガウスメーターで計測して磁束密度がほぼゼロになるようにする。
異方性磁石の場合は、磁材を成形する段階で磁場配向を着磁パターンと同じように行う。
次にコイルを使って疑似単極磁石をつくるには、図４(a)〜(c)に示す様に、隣り合ったコイル同士を隙間のないように密着させ、互いに逆向きに電流が流 れるようにしたコイルの組を、全体がゼロ磁界となるようにあらかじめ計算して、それに元ずいて任意の数、配列する。図ではコイルの組は１層ずつになっているが、実際には何層でもよい。
なお使用するコイルは、常電導の他、超電導も含まれる。
【発明の効果】
【０００６】
宇宙エネルギーについては、それを直接計測する方法はまだ発見されていないので、いまのところ現象学的に調べるよりほかに方法はない。
そこで、フラスコに一定量の水を入れて、アルコールランプで加熱する実験を行い、そのときアルコール燃料をつぎの３つのケースに分けた。
ケース１；  Ｎ極型疑似単極磁石を浸したもの
ケース２；  Ｓ極型疑似単極磁石を浸したもの
ケース３；  なんの処置も施さないもの
そして、単位時間ごとの温度変化の測定を同一の条件で各ケースごとに行った。その結果、ケース１のアルコール燃料が一番温度上昇が早く、ケース２のものは、一番温度上昇が遅かった。
このことより、アルコール燃料は、宇宙エネルギーを浴びることによって、火力が強くなり、逆に宇宙エネルギーを吸い取られることで、火力が弱くなることが確認されたわけであるが、このことは前記の４次元磁界と宇宙エネルギーの関連性を実証するものである、と同時に、従来のゼロ磁界の考え方のように、ゼロ磁界になれば、宇宙エネルギーが取り出せるという単純なものではなく、場合によっては逆効果になってしまう場合もありうるということである、
普通の磁石の場合は、涌きだしと吸い込みの双極になっており、これによって宇宙エネルギーの流れというものが形成され、この流れを利用して宇宙エネルギーを取り出している。
しかし、Ｎ極型疑似単極磁石のように涌きだしのみの方が、より効率よく宇宙エネルギーを取り出すことができるのは明らかである。
したがって、疑似単極磁石と言ってもＮ極型疑似単極磁石の方が、本発明ということになる。
又、宇宙エネルギーは、人体に用いた場合、健康増進の効果もある。
【発明を実施するための最良の形態】
【０００７】
このＮ極型疑似単極磁石はこのままでも使用できるが、永久磁石の場合には、図６に示すように鉄のような強磁性体で周囲を覆うことにより、宇宙エネルギーの涌きだしを著しく大きくすることができる。
これは鉄が４次元的に磁化されたことによるものであると考えられる。
なお、図５のように必ずしも強磁性体の形状はそれで覆う磁石と同じにする必要はない。
コイルによる疑似単極磁石にもこれがヨークとして利用できる。この場合鉄及びその他の強磁性体はコイルを固定する治具と兼用することができる。
【実施例１】
【０００８】
図３(a),(b)の様に外側をＮ極、内側をＳ極に着磁した磁石を、図１のように半球状の(a)を２つ合わせるか、間にリング状の(b)を任意の数挟んで完成させたＮ極型疑似単極磁石を、それ単体か、もしくは図５のように外側を鉄のような強磁性体をかぶせたものを自動車の燃料タンク内部に組み込むことによって、燃費の改善や排出ガスを低公害化することができる。
【実施例２】
【０００９】
飲料水の容器内部に実施例１のＮ極型疑似単極磁石を組み込み、水などを入れて、これを飲むことにより、慢性病の治療や、体質改善、健康増進などが計れる。
又、この水を農業用水として用いれば、農作物の品質向上や、増収などが期待できる。
【産業上の利用可能性】
【００１０】
超電導コイルを使って図４(a)~(c)に示すように、隣り合ったコイル同士を隙間のないように密着させ互いに逆向きに電流が流れるようにしたコイルの組を全体がゼロ磁界となるように配列した構造の疑似単極磁石は非常に強い４次元磁界を作り出せるのでＮ極型の場合、湧き出てくる宇宙エネルギーは莫大なものとなり、目に見える形、すなわち、光のエネルギーの形で出てくるようになるので、太陽電池などによって、発電する事が出来るようになる。
【図面の簡単な説明】
【００１１】
【図１】外側がＮ極で、内側がＳ極になっている球形磁石（Ｎ極型疑似単極磁石）図では説明のために一部がカットされているが、実際には閉じられている
【図２】図１の磁石によって作り出される４次元磁界を４つの３次元座標に分解したもの
【図３】(a)  磁材を半球状に成形したもの、及びその着磁パターン        (b)  磁材をリング状に成形したものとその着磁パターン
【図４】(a)  互いに反対向きに電流が流れるようにしたコイルの対を球状に配置したものの断面図        (b)  上記のコイルの対を棒状に配置したものの断面図        (c)  上記のコイルの対をドーナツ状に配列したものの断面図
【図５】疑似単極磁石の周りを強磁性体（鉄等）で覆ったもの
【符号の説明】
【００１２】
１  疑似単極磁石
２  成形された磁材
３  コイル（3aは電流が図の裏から表に向かって流れていることを示し、3bは電流が図の表から裏に向かって流れていることを示している）
４  強磁性体（鉄等）
【図１】
2005116845.tif 000003
【図２】
2005116845.tif 000004
【図３】
2005116845.tif 000005
【図４】
2005116845.tif 000006
【図５】
2005116845.tif 000007
【手続補正書】
【提出日】平成15年10月10日(2003.10.10)
【手続補正１】
【補正対象書類名】明細書
【補正対象項目名】０００５
【補正方法】変更
【補正の内容】
【０００５】
発明者はこの課題に取り組み、考えを巡らせた結果、次のような結論に到達した。
それは磁気というものの背後に潜在的に存在する次元の高い部分と言うものがあり、それが宇宙エネルギーと密接に関わっているのではないかと言うことである。そこで、その次元の高い部分を、４次元磁界と想定して、さきほどの磁石について考えてみる。
４次元といっても、我々の頭では、それを思い描く事は出来ないので、図２に示す様に、４つの３次元座標に分解してみると、先ほどの磁石は図２の(a), (b), (c), (d)の様になる。
３次元の場合には、磁石の内側は閉ざされているので、磁力線は互いにうち消し合うが、４次元の場合は、図２の(a)〜(c)を見ればわかるように、ｕ軸の方向は開いているので、磁力線はカスプ状に弧を描いて４次元空間の中で閉じた曲線を形成する。
これが、図２(d)に示すように、３次元空間から見ると、丁度、単極の様な感じになっている。が、しかし、これは３次元の単極電界とは明らかに異なるものである。
したがって、これを疑似単極磁石と命名したのである。
疑似単極といえども単極であるから、磁石の外側が、Ｎ極の場合は、涌きだしになり、逆にＳ極の場合には、吸い込みということになる。
そこで今から、前者をＮ極型の疑似単極磁石、後者をＳ極型の疑似単極磁石と呼ぶことにする。
そして、この４次元磁界の磁力線に沿って、宇宙エネルギーが流入するというように考えれば、磁気と宇宙エネルギーの関連性を明確に説明することができることになる。
次にこの疑似単極磁石の作り方であるが、図１の球形の場合、磁材を図３(a)のように半球状に成形（焼結）する。そして外側が、Ｎ極、内側がＳ極となるように専用の着磁治具を使って磁化させる。そうして磁化させた半球同士を治具を使って２つ合わせて接着するか、押さえつけて完成させる。
又は、磁材を図３(b)に示すようにリング状に成形（焼結）し、外側がＮ極、内側がＳ極となるように専用の着磁治具を使って磁化し、それを棒状あるいは、ドー ナツ状に組み上げて、接着するか、押さえつけて完成させる。
いずれの形状にしても、外側がＮ極、内側がＳ極になるように着磁して、全体がゼロ磁界になるように組み上げ、ガウスメーターで計測して磁束密度がほぼゼロになるようにする。
異方性磁石の場合は、磁材を成形する段階で磁場配向を着磁パターンと同じように行う。
次にコイルを使って疑似単極磁石をつくるには、図４(a)〜(c)に示す様に、 隣り合ったコイル同士を隙間のないように密着させ、互いに逆向きに電流が流れるようにしたコイルの組を、全体がゼロ磁界となるようにあらかじめ計算して、それに元ずいて任意の数、配列する。図ではコイルの組は１層ずつになっているが、実際には何層でもよい。
なお使用するコイルは、常電導の他、超電導も含まれる。
【手続補正書】
【提出日】平成16年9月1日(2004.9.1)
【手続補正１】
【補正対象書類名】特許請求の範囲
【補正対象項目名】請求項１
【補正方法】変更
【補正の内容】
【請求項１】
磁材を、中空かムクの任意の形状に、成形あるいは焼結したものを、外側がＮ極、内側がＳ極となるように着磁して、全体がゼロ磁界となるようにした構造の疑似単極磁石
【手続補正２】
【補正対象書類名】明細書
【補正対象項目名】０００５
【補正方法】変更
【補正の内容】
【０００５】
発明者はこの課題に取り組み、考えを巡らせた結果、次のような結論に到達した。
それは磁気というものの背後に潜在的に存在する次元の高い部分と言うものがあり、それが宇宙エネルギーと密接に関わっているのではないかと言うことである。そこで、その次元の高い部分を、４次元磁界と想定して、さきほどの磁石について考えてみる。
４次元といっても、我々の頭では、それを思い描く事は出来ないので、図２に示す様に、４つの３次元座標に分解してみると、先ほどの磁石は図２の(a), (b), (c), (d)の様になる。
３次元の場合には、磁石の内側は閉ざされているので、磁力線は互いにうち消し合うが、４次元の場合は、図２の(a)〜(c)を見ればわかるように、ｕ軸の方向は開いているので、磁力線はカスプ状に弧を描いて４次元空間の中で閉じた曲線を形成する。
これが、図２(d)に示すように、３次元空間から見ると、丁度、単極の様な感じになっている。が、しかし、これは３次元の単極電界とは明らかに異なるものである。
したがって、これを疑似単極磁石と命名したのである。
疑似単極といえども単極であるから、磁石の外側が、Ｎ極の場合は、涌きだしになり、逆にＳ極の場合には、吸い込みということになる。
そこで今から、前者をＮ極型の疑似単極磁石、後者をＳ極型の疑似単極磁石と呼ぶことにする。
そして、この４次元磁界の磁力線に沿って、宇宙エネルギーが流入するというように考えれば、磁気と宇宙エネルギーの関連性を明確に説明することができることになる。
次にこの疑似単極磁石の作り方であるが、図１の球形の場合、磁材を図３(a)のように半球状に成形（焼結）する。そして外側が、Ｎ極、内側がＳ極となるように専用の着磁治具を使って磁化させる。そうして磁化させた半球同士を治具を使って２つ合わせて接着するか、押さえつけて完成させる。
又は、磁材を図３(b)に示すようにリング状に成形（焼結）し、外側がＮ極、内側がＳ極となるように専用の着磁治具を使って磁化し、それを棒状あるいは、ドー ナツ状に組み上げて、接着するか、押さえつけて完成させる。
いずれの形状にしても、外側がＮ極、内側がＳ極になるように着磁して、全体がゼロ磁界になるように組み上げ、ガウスメーターで計測して磁束密度がほぼゼロになるようにする。
異方性磁石の場合は、磁材を成形する段階で磁場配向を着磁パターンと同じように行う。
次にコイルを使って疑似単極磁石をつくるには、図４(a)〜(c)に示す様に、 隣り合ったコイル同士を隙間のないように密着させ、互いに逆向きに電流が流れるようにしたコイルの組を、全体がゼロ磁界となるようにあらかじめ計算して、それに元ずいて任意の数、配列する。図ではコイルの組は１層ずつになっているが、実際には何層でもよい。
なお使用するコイルは、常電導の他、超電導も含まれる。
又、これらのコイル形状を用いて着磁治具を作れば、前述のように着磁してから疑似単極磁石に組み上げるのではなく、最初から疑似単極磁石として着磁することが可能である。この場合、着磁する磁石は中空でなく、ムクでも着磁可能である。